(57)【特許請求の範囲】
【請求項１】
幅方向に分割可能な外シートと、シート状食品を介して外シートに重ね合わされ、外シートとともに幅方向に分離可能な内シートとを備え、シート状食品を囲むように外シートと内シートとがシールされるとともに、米飯加工食品を挟むように折り曲げられる米飯加工食品用包装体であって、
内シートの前記米飯加工食品を挟むように折り曲げられると幅方向に沿う曲げ部が形成される長手方向部位は、その他の長手方向部位よりも幅方向一端部側に偏った幅方向一端側部位で分離するよう構成され、
前記内シートのその他の長手方向部位は、幅方向中央部で分離するよう構成されていることを特徴とする米飯加工食品用包装体。
【請求項２】
外シートには、幅方向に分割可能とすべく、長手方向に沿ってハーフカットが形成されることを特徴とする請求項１に記載の米飯加工食品用包装体。
【請求項３】
内シートの前記曲げ部が形成される長手方向部位における幅方向一端側部位には、内シートを幅方向一方側及び他方側に隔てる切れ目が存在し、該切れ目によって画成される舌状部位が形成され、
該切れ目を覆う被覆部が設けられることを特徴とする請求項１又は２に記載の米飯加工食品用包装体。
【請求項４】
内シートは、単一のシート体で構成され、
前記切れ目は、内シートに形成された切り込みとして設けられるとともに、
少なくとも前記その他の長手方向部位には、長手方向に沿ってハーフカットが形成されることを特徴とする請求項３に記載の米飯加工食品用包装体。
【請求項５】
外シートと内シートとの間には、少なくとも前記曲げ部が形成される長手方向部位で且つ少なくともシート状食品の幅方向一端縁部に対応する部位に、外シートと内シートとを離間した状態に維持する離間部が備えられることを特徴とする請求項１から４のいずれか一項に記載の米飯加工食品用包装体。
【請求項６】
離間部は、外シート及び内シートの少なくとも幅方向一端部に長手方向に沿って介装されるテープ状の離間部材によって構成されることを特徴とする請求項５に記載の米飯加工食品用包装体。
【請求項７】
請求項１から６のいずれか一項に記載された米飯加工食品用包装体によって米飯加工食品が包装された米飯加工食品用包装袋であって、
米飯加工食品は、その底部を内シートの前記曲げ部が形成される長手方向部位に対応させて配置されることを特徴とする米飯加工食品用包装袋。
【発明の詳細な説明】
【技術分野】
【０００１】
本発明は、例えばシート状の海苔等のシート状食品と、おにぎり等の米飯加工食品とを分離した状態で包装するための米飯加工食品用包装体、及び、この米飯加工食品用包装体によって米飯加工食品を包装した米飯加工食品用包装袋に関する。
【背景技術】
【０００２】
従来、おにぎり等の米飯加工食品と該米飯加工食品に巻く海苔等のシート状食品とを接触させずに包装し、米飯加工食品が食される時点でシート状食品を巻くように構成された米飯加工食品用包装袋が周知である。このような米飯加工食品用包装袋においては、米飯加工食品の水分によってシート状食品が湿気ることを防止すべく、シート状食品を米飯加工食品と隔てて収容可能な米飯加工食品用包装体が用いられる。
【０００３】
かかる米飯加工食品用包装体は、幅方向に分割可能な外シートと、シート状食品を介して外シートに重ね合わされ、外シートとともに幅方向に分離可能な内シートとを備え、シート状食品を囲むように外シートと内シートとがシールされるとともに、米飯加工食品を挟むように二つ折りに曲げられるものであり、米飯加工食品とシート状食品とは、内シートによって隔てて収容されることとなる。
【０００４】
最も一般的な米飯加工食品用包装袋では、外シートを幅方向に分割する分割手段として、外シートの長手方向に沿って配置されるカットテープが用いられる（例えば、特許文献１）。この一般的なカットテープ式の米飯加工食品用包装袋の開封手順を説明する。
【０００５】
まず、外シートをカットテープによって分割する。次に、米飯加工食品用包装袋の正面（概して商品の名称や絵柄等の表示が消費者の目を引く態様でなされている）に向かって左側を保持した上で、米飯加工食品用包装袋の正面に向かって右側の外シート及び内シートを摘み、右側に引っ張って取り除く。このとき、シート状食品は直接的に引っ張られないため、左側に残される。これによって、米飯加工食品及びシート状食品の右側部分が一体化する。
【０００６】
最後に、米飯加工食品及びシート状食品を一体化させた右側部分を保持した上で、左側の外シート及び内シートを摘み、左側に引っ張って取り除く。これによって、シート状食品及び米飯加工食品が全体的に一体化する（即ち、米飯加工食品がシート状食品に巻かれる）。
【０００７】
ところで、米飯加工食品用包装袋としては、外シートの分割手段としてカットテープを用いるもの以外にも、ハーフカットを用いたものが提案されている（例えば、特許文献２）。具体的には、かかるハーフカット式の米飯加工食品用包装袋においては、外シートの全長に亘って長手方向に沿うハーフカットが形成される。
【０００８】
かかるハーフカット式の米飯加工食品用包装袋の開封手順を説明する。基本的には、カットテープ式の米飯加工食品用包装袋と同様に、左側よりも先に右側から外シート及び内シートを取り除くのであるが、ハーフカットは、不測の衝撃によって破断することのないよう形成される場合が多いため、単純に左右に引っ張ったのではうまく外シートを分割することができない。従って、ハーフカットに対して局所的に力を作用させる必要がある。
【０００９】
特許文献２の米飯加工食品用包装袋であれば、米飯加工食品用包装袋の上部に対して引っ張り力を作用させる。具体的には、米飯加工食品用包装袋の左側を保持した上で、米飯加工食品用包装袋の右側上端部を摘み、右側若しくは右側下方に引っ張る。すると、ハーフカットの上端部に大きな引張り力が集中的に作用し、この部分からハーフカットが裂け始める。
【００１０】
そのまま斜め下方に向かって引っ張り力を作用させ続けると、ハーフカットの上端部から始まった開裂が下方まで伝播し、右側の外シート及び内シートが左側と分離（若しくは、分裂）して取り除かれる。このとき、シート状食品は左側の外シート及び内シートに挟まれた状態で間接的に保持されているため、取り除かれることなく残される。これによって、米飯加工食品及びシート状食品の右側部分が一体化する。
【００１１】
最後に、米飯加工食品及びシート状食品を一体化させた右側部分を保持した上で、左側の外シート及び内シートを摘み、左側に引っ張って取り除く。これによって、シート状食品及び米飯加工食品が全体的に一体化する。
【００１２】
かかるハーフカット式の米飯加工食品用包装袋であれば、外シートを分割する動作と、米飯加工食品及びシート状食品を一体化しつつ外シート及び内シートを取り除く動作とを集約して一連の動作で簡単に行うことができる。しかも、カットテープ等必要となる部品の点数を減らすこともできる。
【００１３】
【特許文献１】特開２００６−２６４７５７号公報
【特許文献２】特開２００７−６７６１号公報
【発明の開示】
【発明が解決しようとする課題】
【００１４】
ところで、上述のような従来の米飯加工食品用包装体は、外シート及び内シートが幅方向中央部を中心として左右対称に形成されるものである。また、米飯加工食品用包装体は、米飯加工食品を挟むように折り曲げられると幅方向に沿う曲げ部が形成されるものであり、シート状食品もこの曲げ部において曲げられる。
【００１５】
そのような米飯加工食品用包装袋に対して上述した一般的な開封手順で開封を行うと、最初、米飯加工食品とシート状食品とが内シートによって隔てられて完全に分離している状態から、右側の外シート及び内シートが引っ張られることとなる。従って、シート状食品に作用する力をコントロールしにくく、不測の力が作用して、特に、曲げ部においてシート状食品が破れてしまうおそれがある。
【００１６】
その具体的な原因としては、例えば次のようなことが考えられる。まず、右側の外シート及び内シートを取り除く際には、外シート及び内シートは相対変位しない状態で一体的に引き抜かれる一方、シート状食品はその間に挟み込まれた状態で相対変位するため、シート状食品が引きちぎられる状況が起こり得る。特に、外シート及び内シートを上述のように斜め下方に引っ張った場合や、斜め上方に引っ張った場合には、シート状食品が無理に折り曲げられることとなり、シート状食品が一層破れやすい。
【００１７】
そこで、本発明は、米飯加工食品用包装袋を開封するに当たり、シート状食品が破れてしまうのを好適に防止することのできる米飯加工食品用包装体及び米飯加工食品用包装袋を提供することを目的とする。
【課題を解決するための手段】
【００１８】
本発明に係る米飯加工食品用包装体は、幅方向に分割可能な外シートと、シート状食品を介して外シートに重ね合わされ、外シートとともに幅方向に分離可能な内シートとを備え、シート状食品を囲むように外シートと内シートとがシールされるとともに、米飯加工食品を挟むように折り曲げられる米飯加工食品用包装体であって、内シートの前記米飯加工食品を挟むように折り曲げられると幅方向に沿う曲げ部が形成される長手方向部位は、その他の長手方向部位よりも幅方向一端部側に偏った幅方向一端側部位で分離するよう構成され、前記内シートのその他の長手方向部位は、幅方向中央部で分離するよう構成されていることを特徴とする。
【００１９】
上記構成からなる米飯加工食品用包装体によれば、完成した米飯加工食品用包装袋の右側から先に外シート及び内シートを取り除く一般的な方法で開封する場合、右側の外シート及び内シートを引っ張った際に、曲げ部においてシート状食品に作用する力を従来のものに比べて小さくすることができる。
【００２０】
また、外シートには、幅方向に分割可能とすべく、長手方向に沿ってハーフカットが形成される構成が好ましい。
【００２１】
かかる外シートがハーフカット式の米飯加工食品用包装体であれば、内シートを幅方向一端部側に偏った幅方向一端側部位で分離させることでシート状食品を破れにくくすることができるという効果を発揮させつつも、開封動作が簡単であるというハーフカット式の米飯加工食品用包装体の利点を活かすことができる。
【００２２】
また、内シートの前記曲げ部が形成される長手方向部位における幅方向一端側部位には、内シートを幅方向一方側及び他方側に隔てる切れ目が存在し、該切れ目によって画成される舌状部位が形成され、該切れ目を覆う被覆部が設けられる構成が好ましい。
【００２３】
従って、内シートを切れ目の位置で確実に分離させることができる。ただし、内シートに切れ目が存在すると、切れ目位置では微視的には米飯加工食品とシート状食品とが隔てられていないため、米飯加工食品によってシート状食品が湿気てしまうおそれがある。その点、上記米飯加工食品用包装体であれば、切れ目を覆うように被覆部が設けられるため、米飯加工食品の湿気がシート状食品に到達することを阻止でき、シート状食品が湿気てしまうことを好適に防止できる。
【００２４】
また、内シートは、単一のシート体で構成され、前記切れ目は、内シートに形成された切り込みとして設けられるとともに、少なくとも前記その他の長手方向部位には、長手方向に沿ってハーフカットが形成される構成が好ましい。
【００２５】
従って、前記切れ目を除いて内シートの表側と裏側とが連通するような部分が存在しなくなり、シート状食品の湿気が米飯加工食品に到達し得る可能性を小さく抑えつつも、切り込みの位置で内シートを確実に分離させることが可能となる。
【００２６】
また、外シートと内シートとの間には、少なくとも前記曲げ部が形成される長手方向部位で且つ少なくともシート状食品の幅方向一端縁部に対応する部位に、外シートと内シートとを離間した状態に維持する離間部が備えられる構成が好ましい。
【００２７】
このようにすれば、曲げ部におけるシート状食品の幅方向一端縁部の近傍には、離間部の厚み分の隙間が確保される。そして、右側の外シート及び内シートを取り除く際にシート状食品が外シート及び内シートに挟まれ得る状態となったとしても、離間部は、外シート及び内シートに対する引っ張り力をシート状食品に作用させにくくするように機能する。このため、シート状食品が破れてしまうことを有効に防止できる。
【００２８】
また、離間部は、外シート及び内シートの少なくとも幅方向一端部に長手方向に沿って介装されるテープ状の離間部材によって構成されるものが好ましい。
【００２９】
このようにすれば、テープ状の離間部材が有する長さの範囲に亘って離間部材の厚み分の隙間を確保することができる。
【００３０】
また、米飯加工食品用包装袋としては、上記米飯加工食品用包装体によって米飯加工食品が包装された米飯加工食品用包装袋であって、米飯加工食品は、その底部を内シートの前記曲げ部が形成される長手方向部位に対応させて配置される構成が好ましい。
【００３１】
米飯加工食品用包装袋は、米飯加工食品の底部の形状に応じて曲げ部が形成されるものであるため、米飯加工食品の底部を内シートの長手方向部位に対応させて配置することで、開封の際にシート状食品が破れにくい米飯加工食品用包装袋を得ることができる。
【発明の効果】
【００３２】
以上のように、本発明によれば、米飯加工食品用包装袋を開封するに当たり、シート状食品が破れてしまうのを好適に防止することができる。
【発明を実施するための最良の形態】
【００３３】
以下に、本発明に係る米飯加工食品用包装体及び米飯加工食品用包装袋の実施形態について、図面に基づいて説明する。
【００３４】
米飯加工食品用包装袋１は、図１に示すように、おにぎり等の米飯加工食品３と該米飯加工食品３に巻く海苔等のシート状食品４とを接触させずに包装するものである。かかる米飯加工食品用包装袋１に用いられる米飯加工食品用包装体２は、図２及び図３に示すように、二つ折りに畳んだ状態で米飯加工食品３を包み込める大きさの長方形状の外シート（若しくは、表フィルム）１０と、シート状食品４を介して外シート１０に重ね合わされる内シート（若しくは、裏フィルム）２０とを備え、シート状食品４を囲むように外シート１０と内シート２０とがシールされる。なお、米飯加工食品３には、三角形状や樽形状などに握られた各種おにぎりの他、鮨なども含まれる。また、シート状食品４には、シート状の海苔の他、畳鰯なども含まれる。
【００３５】
この米飯加工食品用包装体２は、米飯加工食品用包装袋１として完成させるべく、米飯加工食品３を挟むように折り曲げられ、図１に示すように、幅方向に沿う曲げ部Ｂが形成される。即ち、曲げ部Ｂは、米飯加工食品３を包装した際に該米飯加工食品３の底部３ａに対応する部位に形成される。また、米飯加工食品用包装体２は、長手方向両端部２ａ，２ａ同士を重ね合わせるように二つ折りに曲げられるため、前記曲げ部Ｂが形成される部位は、外シート１０及び内シート２０の長手方向中央部位２ｂとなる。なお、以下、原則として、外シート１０、内シート２０及びシート状食品４に基づいて長手方向及び幅方向を定めるものとするが、紛らわしいと考えられる場合には、米飯加工食品用包装体２（若しくは、外シート１０、内シート２０及びシート状食品４）の長手方向を縦方向、幅方向を横方向と表現することがある。
【００３６】
図２に示すように、外シート１０には、幅方向に分割可能とすべく、長手方向に沿ってハーフカット１１が形成される。ハーフカット１１は、外シート１０の長手方向一端縁から他端縁にかけて（具体的には、全長に亘って）形成される。また、ハーフカット１１は、外シート１０の幅方向中央部に形成される。従って、幅方向から引っ張り力が加えられると、外シート１０は、左右に二分される態様で分割される。
【００３７】
外シート１０の長手方向端縁部のうち、ハーフカット１１の端部１１ａが位置する部位には、切欠１２が形成される。即ち、ハーフカット１１の端部１１ａが切欠１２の中に位置するように構成される。具体的には、切欠１２は、湾曲形状を有する。これにより、外シート１０に幅方向から引っ張り力が加えられた際には、その引っ張り力をハーフカット１１の端部１１ａに集中的に作用させることができる。ただし、切欠１２は、Ｖ字形状を有するものであってもよく、また、外シート１０には切欠１２が設けられないものであってもよい。
【００３８】
図３及び図４に示すように、内シート２０は、前記曲げ部Ｂに対応する長手方向中央部位２ｂにおいて、その他の長手方向部位（即ち、長手方向両側部位２ｃ，２ｃ）よりも幅方向一端部２ｄ側に偏った幅方向一端側部位２ｅで分離するよう構成される。即ち、内シート２０が分離する際の境界となる境界Ｌのうち、前記長手方向中央部位２ｂにおける部分（以下、境界の長手方向中央部位における部分）Ｌｂは、その他の長手方向両側部位２ｃ，２ｃよりも幅方向一端部２ｄ側に偏った前記幅方向一端側部位２ｅに設定されることとなる。
【００３９】
具体的には、長手方向中央部位２ｂの幅方向一端側部位２ｅには、内シート２０を幅方向一方側及び他方側に隔てる切れ目２１が存在する。従って、前記内シート２０は、長手方向中央部位２ｂにおいては、前記切れ目２１を境界に幅方向の一方側及び他方側に分離する。即ち、前記境界Ｌの長手方向中央部位２ｂにおける部分Ｌｂは、切れ目２１によって構成される。
【００４０】
前記切れ目２１は、長手方向の所定長さ範囲に亘って形成される。具体的には、前記切れ目２１は、長手方向に沿う縦部２１ａと、該縦部２１ａの両端部から幅方向他方側に向かって延びる横部２１ｂとを備える。縦部２１ａは、中央部ほど幅方向一端縁側に膨出する湾曲形状に形成される。また、横部２１ｂは、縦部２１ａの両端部から内シート２０の幅方向中央部２ｆに向かって延びるように形成される。具体的には、横部２１ｂは、幅方向に沿って設けられる。従って、内シート２０には、切れ目２１によって画成される舌状部位２３が形成される。
【００４１】
また、内シート２０は、単一のシート体で構成される。そして、前記長手方向中央部位２ｂに存在する切れ目２１は、内シート２０に形成された切り込みとして設けられる。
【００４２】
また、内シート２０には、長手方向に沿ってハーフカット２２が形成される。ハーフカット２２は、内シート２０の長手方向一端縁から他端縁にかけて（具体的には、全長に亘って）形成される。また、ハーフカット２２は、内シート２０の幅方向中央部２ｆに形成される。従って、幅方向から引っ張り力が加えられると、内シート２０は、全体として見た場合に左右に二分される態様で分割される。
【００４３】
具体的には、前記切れ目２１は、前記内シート２０の幅方向中央部２ｆに形成されるハーフカット２２を超える位置まで形成される。これにより、内シート２０は、長手方向両側部位２ｃ，２ｃのハーフカット２２から長手方向中央部位２ｂの切れ目２１に至るように延びる境界Ｌに沿って分離することとなる。即ち、前記境界Ｌの長手方向両側部位２ｃにおける部分Ｌａは、ハーフカット２２によって構成される。ただし、前記切れ目２１は、ハーフカット２２と同位置（即ち、ハーフカット２２と接続する位置）まで形成されるものであってもよい。また、ハーフカット２２の開裂が切れ目２１に誘導されるものであれば、ハーフカット２２と切れ目２１とが接続していないものであってもよい。
【００４４】
また、内シート２０の長手方向両端部２ａ，２ａのうち、ハーフカット２２の端部２２ａが位置する部位には、切欠２４が形成される。即ち、ハーフカット２２の端部２２ａが切欠２４の中に位置するように構成される。具体的には、切欠２４は、湾曲形状を有する。これにより、内シート２０に幅方向から引っ張り力が加えられた際には、その引っ張り力をハーフカット２２の端部２２ａに集中的に作用させることができる。ただし、切欠２４は、Ｖ字形状を有するものであってもよく、また、切欠が設けられないものであってもよい。
【００４５】
また、米飯加工食品用包装体２には、前記切れ目２１を覆う被覆部３０が設けられる。具体的には、切れ目２１は、被覆部材３１によって覆われる。被覆部材３１は、横方向一端部３１ａが切れ目２１よりも幅方向（若しくは、横方向）一端部側に至るように配置される。被覆部材３１は、内シート２０のうち前記境界Ｌより幅方向他方側の部分２６に対してのみ固定され、境界Ｌより横方向一方側の部分２５に対しては固定されない。
【００４６】
具体的には、被覆部材３１は、横方向他端部３１ｂを熱融着や接着等によって内シート２０に固定される。また、被覆部材３１は、左側部分を内シート２０のうち横方向他方側の部分２６に弱く熱融着される。この弱熱融着部を３１ｃで示す。なお、被覆部材３１は、内シート２０の裏側に配置されるものであるが、表側であってもよい。ここで、内シート２０の有する面のうち、シート状食品４と対向する側を表側、米飯加工食品３と対向する側を裏側とする。
【００４７】
被覆部材３１は、前記切れ目２１を覆うべく、該切れ目２１の長手方向（若しくは、縦方向）寸法よりも大きい幅（即ち、縦方向寸法）を有する。具体的には、切れ目２１の横方向両端縁間間隔（即ち、縦方向間隔）よりも大きい幅寸法（即ち、縦方向寸法）を有する。このように、被覆部材３１は、前記舌状部位２３よりも大きく形成される。
【００４８】
また、外シート１０と内シート２０との間には、長手方向中央部位２ｂで且つシート状食品４の幅方向一端縁部４ａに対応する部位に、一対のシート（即ち、外シート及び内シート）１０，２０同士を離間した状態に維持する離間部４０が備えられる。具体的には、離間部４０は、シート状食品４の幅方向両端縁部４ａ，４ｂに対応して一対配置される。これにより、図４に示されるように、外シート１０と内シート２０とは、シート状食品４の幅方向一端縁部４ａに対応する部分において、互いに密接しないよう離間され、シート状食品４の幅方向両端縁部４ａ，４ｂを収容する隙間（空間）Ｓが大きく確保される。
【００４９】
具体的には、離間部４０は、外シート１０と内シート２０との間に介装される離間部材４１によって構成される。離間部材４１は、長尺なテープ状を有する。また、離間部材４１は、外シート１０の幅方向両端部１０ａ，１０ｂ、及び、内シート２０の幅方向両端部２０ａ，２０ｂにおいて、それぞれ重なり合うように二つずつ設けられ、各離間部材４１は、それぞれ外シート１０及び内シート２０に弱く熱融着される。なお、この弱熱融着部を４２で示す。離間部材４１は、少なくともシート状食品４の全長に対応する長さ、好ましくは、米飯加工食品用包装体２の全長に対応する長さを有する。さらに具体的には、前記離間部材４１は、前記シート状食品４の幅よりも大きい間隔をおいて配置される。従って、前記シート状食品４の幅方向両端縁部４ａ，４ｂは、離間部材４１の幅方向端縁４１ａ，４１ｂと対向する状態となる。
【００５０】
なお、離間部材４１は、外シート１０及び内シート２０の原反を長手方向に繰り出しつつ接合する方法と同様に、離間部材４１の原反を繰り出しつつこれら一対のシート１０，２０に接合する方法によって形成されるものである。
【００５１】
そして、上記構成からなる外シート１０及び内シート２０が間にシート状食品４を挟んで重ね合わされ、外周部分がヒートシールなどによって帯状にシールされることにより（網点で図示する。）、シート状食品４が密封される。外シート１０、内シート２０及びシート状食品４は、それぞれの長手方向中央部及び幅方向中央部を概ね一致させて配置される。なお、外シート１０及び内シート２０の外周部分であっても、各ハーフカット１１，２２と交差する部分はシールされない。
【００５２】
次に、上記構成からなる米飯加工食品用包装体２を用いて米飯加工食品３を包装し、米飯加工食品用包装袋１とする態様について説明する。まず、米飯加工食品用包装体２の内シート２０における被覆部材３１の上に、米飯加工食品３を載置する。次に、幅方向に沿う曲げ部Ｂが形成されるように、米飯加工食品用包装体２を長手方向に二つ折りにする。そして、二つ折りにした際に対向することとなった米飯加工食品用包装体２の幅方向両端縁部同士をシールし、長手方向両端部２ａ，２ａ同士をシールする。すると、図１に示すような正面視四角形状の米飯加工食品用包装袋１が完成する。
【００５３】
次に、上記構成からなる米飯加工食品用包装袋１の開封手順について、図５に基づいて説明する。まず、図５（Ａ）に示すように、米飯加工食品用包装袋１の正面（概して商品の名称や絵柄等の表示が消費者の目を引く態様でなされている）に向かって右側上端部１ａを右手で、左側上端部１ｂを左手で保持する。
【００５４】
次に、まず、米飯加工食品用包装袋１の左側を左手で保持しつつ左側上端部１ｂを摘んだ上で、米飯加工食品用包装袋１の右側上端部１ａを右手で摘み、右側若しくは右側下方に引っ張る。すると、ハーフカット１１，２２の上端部に大きな引張り力が集中的に作用し、この部分からハーフカット１１，２２が裂け始める。ここで、米飯加工食品用包装袋１におけるハーフカット１１，２２の上端部とは、外シート１０のハーフカット１１の両端部１１ａ，１１ａ及び内シート２０のハーフカット２２の両端部２２ａ，２２ａが該当する。
【００５５】
そのまま斜め下方に向かって引っ張り力を作用させ続けると、右側の外シート１０及び内シート２０が左側と分離していく。このとき、外シート１０及び内シート２０の間に配置されたシート状食品４は、左側の外シート１０及び内シート２０に挟まれた状態で間接的に保持されているため、取り除かれることなく残される。やがて、ハーフカット１１，２２の上端部から始まった開裂が下方まで伝播し、米飯加工食品用包装袋１の下方部分に位置する切れ目２１に到達する。
【００５６】
ここまでは一連の動作として行われるため、ハーフカット１１，２２の開裂が米飯加工食品用包装袋１の下部に到達した際には、引っ張り力は右斜め下方に向いている。従って、外シート１０は右斜め下方に取り除かれる。一方、内シート２０も右斜め下方に取り除かれるのであるが、シート状食品４の曲げ部Ｂが形成される長手方向部位においては、内シート２０は、幅方向一端側部位（即ち、切れ目２１）で分離する。このため、図５（Ｂ）に示すように、曲げ部Ｂが形成される長手方向部位においては、内シート２０の大部分（即ち、前記舌状部位２３）は、外シート１０及び内シート２０を分離した際に残される左側部分とともに残される。このようにして、米飯加工食品３とシート状食品４とが、米飯加工食品３の底部３ａの右側部分を除いて一体化される。
【００５７】
最後に、シート状食品４と一体化された米飯加工食品３の右側を右手で保持し、左側の外シート１０及び内シート２０を左側に引き抜く。このようにして、米飯加工食品３とシート状食品４とが全体的に一体化される。
【００５８】
以上のように、本実施形態に係る米飯加工食品用包装体２及び米飯加工食品用包装袋１によれば、米飯加工食品用包装袋１を開封するに当たり、シート状食品４が破れてしまうのを好適に防止することができる。
【００５９】
即ち、上記米飯加工食品用包装体２においては、内シート２０は、米飯加工食品３を挟むように折り曲げられると幅方向に沿う曲げ部Ｂが形成される長手方向部位２ｂにおいて、その他の長手方向部位２ｃよりも幅方向一端部２ｄ側に偏った幅方向一端側部位２ｅで分離するよう構成される。
【００６０】
従って、完成した米飯加工食品用包装袋１の右側から先に外シート１０及び内シート２０を取り除く一般的な方法で開封する場合、右側の外シート１０及び内シート２０を引っ張った際に、曲げ部Ｂにおいてシート状食品４に作用する力を従来のものに比べて小さくすることができる。
【００６１】
具体的には、内シート２０の舌状部位２３が左側部分とともに残されるため、右側の外シート１０及び内シート２０を取り除く際には、シート状食品４の長手方向中央部且つ幅方向端縁部においては、シート状食品４と内シート２０とは相対変位しない。従って、シート状食品４は、外シート１０と内シート２０とに挟まれた状態で引っ張られないか、若しくは引っ張られにくくなり、シート状食品４が破断するのを防止することができる。
【００６２】
また、上記米飯加工食品用包装体２においては、外シート１０には、幅方向に分割可能とすべく、長手方向に沿ってハーフカット１１が形成される。従って、内シート２０を幅方向一端部２ｄ側に偏った幅方向一端側部位２ｅで分離させることでシート状食品４を破れにくくすることができるという効果を発揮させつつも、開封動作が簡単であるというハーフカット式の米飯加工食品用包装体２の利点を活かすことができる。
【００６３】
また、上記米飯加工食品用包装体２は、内シート２０の前記曲げ部Ｂが形成される長手方向部位２ｂにおける幅方向一端側部位２ｅには、内シート２０を幅方向一方側及び他方側に隔てる切れ目２１が存在し、該切れ目２１を覆う被覆部３０が設けられる。
【００６４】
従って、内シート２０を切れ目２１の位置で確実に分離させることができる。ただし、内シート２０に切れ目２１が存在すると、切れ目２１位置では微視的には米飯加工食品３とシート状食品４とが隔てられていないため、米飯加工食品３によってシート状食品４が湿気てしまうおそれがある。その点、上記米飯加工食品用包装体２であれば、切れ目２１を覆うように被覆部３０が設けられるため、米飯加工食品３の湿気がシート状食品４に到達することを阻止でき、シート状食品４が湿気てしまうことを好適に防止できる。
【００６５】
また、上記米飯加工食品用包装体２は、内シート２０が単一のシート体で構成され、前記切れ目２１は、内シート２０に形成された切り込みとして設けられるとともに、少なくとも前記その他の長手方向部位２ｃには、長手方向に沿ってハーフカット２２が形成される。
【００６６】
従って、前記切れ目２１を除いて内シート２０の表側と裏側とが連通するような部分が存在しなくなり、シート状食品４の湿気が米飯加工食品３に到達し得る可能性を小さく抑えつつも、切り込みの位置で内シートを確実に分離させることが可能となる。
【００６７】
また、上記米飯加工食品用包装体２においては、外シート１０と内シート２０との間には、少なくとも前記曲げ部Ｂが形成される長手方向部位２ｂで且つ少なくともシート状食品４の幅方向一端縁部４ａに対応する部位に、外シート１０と内シート２０とを離間した状態に維持する離間部４０が備えられる。
【００６８】
従って、曲げ部Ｂにおけるシート状食品４の幅方向端縁部４ａの近傍には、離間部４０の厚み分の隙間Ｓが確保される。そして、右側の外シート１０及び内シート２０を取り除く際にシート状食品４が外シート１０及び内シート２０に挟まれ得る状態となったとしても、離間部４０は、外シート１０及び内シート２０に対する引っ張り力をシート状食品４に作用させにくくするように機能する。このため、シート状食品４が破れてしまうことを有効に防止できる。
【００６９】
また、上記米飯加工食品用包装体２においては、離間部４０は、外シート１０及び内シート２０の少なくとも幅方向一端部に長手方向に沿って介装されるテープ状の離間部材４１によって構成される。従って、テープ状の離間部材４１が有する長さの範囲に亘って該離間部材４１の厚み分の隙間Ｓを確保することができる。
【００７０】
また、離間部材４１が米飯加工食品用包装体２の全長に対応する長さを有するものであるため、外シート１０及び内シート２０の原反を長手方向に繰り出しつつ接合していく一連の製造工程に、テープ状の離間部材４１の原反を繰り出しつつ接合する工程を加えればよく、製造が容易となる。
【００７１】
また、米飯加工食品用包装袋１においては、米飯加工食品３は、その底部３ａを内シート２０の前記曲げ部Ｂが形成される長手方向部位２ｂに対応させて配置されるものである。ここで、米飯加工食品用包装袋１は、米飯加工食品３の底部３ａの形状に応じて曲げ部Ｂが形成されるものであるため、このようにすることで、開封の際にシート状食品４が破れにくい米飯加工食品用包装袋１を得ることができる。
【００７２】
なお、本発明に係る米飯加工食品用包装体及び米飯加工食品用包装袋は、上記実施形態に限定されるものではなく、本発明の要旨を逸脱しない範囲で種々の変更が可能である。
【００７３】
例えば、上記実施形態に係る米飯加工食品用包装袋１は、米飯加工食品用包装体２を二つ折りに折り曲げて正面視四角形状に完成されるものであったが、これに限定されるものではなく、三角形状の米飯加工食品３の形状に合わせて折り曲げて三角形状に完成されるものであってもよい。
【００７４】
また、上記実施形態に係る米飯加工食品用包装体２は、前記切れ目２１が切り込みとして設けられるとして説明したが、これ以外にも、前記切れ目２１がミシン目として設けられるものであってもよい。また、内シート２０を別々のシート体によって構成し、これらシート体の端縁同士を対向させて（即ち、付き合わて）配置することにより、内シート２０に切れ目２１が存在する構成としたものであってもよい。
【００７５】
また、上記実施形態に係る米飯加工食品用包装体２は、内シート２０の曲げ部Ｂとなる前記長手方向中央部位２ｂの幅方向一端側部位に切れ目２１が存在するものとして説明したが、これに限定されるものではなく、切れ目２１に代えてハーフカットが設けられるものであってもよい。かかる構成であれば、上述のような被覆部が不要となる。具体的には、図６（Ａ）に示す米飯加工食品用包装体１０２のように、内シート１２０の長手方向一端部から他端部に及ぶハーフカット１２２が設けられるものであってもよい。この場合、前記内シート１２０が分離する際の境界Ｌ’は、ハーフカット１２２によって画成されることとなる。
【００７６】
また、上記実施形態では、前記境界Ｌの長手方向中央部位２ｂにおける部分Ｌｂは、該部分Ｌｂの長手方向両端部から内シート２０の幅方向中央部に向かう部分が幅方向に沿うように設けられるもの（具体的には、切れ目２１の横部２１ｂが幅方向に沿って形成されるもの）として説明したが、これに限定されるものではなく、境界Ｌ’は、図６（Ａ）にハーフカット１２２を用いて例示されるように、境界Ｌ’の長手方向中央部位２ｂにおける部分Ｌ’ｂは、該部分Ｌ’ｂの長手方向両端部から幅方向中央部に向かう部分が幅方向に傾斜して設けられるものであってもよい。
【００７７】
また、内シート２０は、曲げ部Ｂが形成される長手方向部位において幅方向一端側部位２ｅで分離するよう構成されるものであればよい。例えば、図６（Ｂ）に示すように、内シート２２０は、端縁部２２５ａ，２２６ａ同士を重ね合わせて配置される構成される一対のシート体２２５，２２６によって構成されるものであってもよい。この場合の境界Ｌ”は、一対のシート体２２５，２２６の端縁部２２５ａ，２２６ａの重ね合わせ部分となる。
【００７８】
かかる米飯加工食品用包装体２０２は、一方のシート体２２５は、幅方向一方側に凹む凹部２２５ｂを曲げ部Ｂが形成される長手方向部位２ｂに有するとともに、他方のシート体２２６は、幅方向一方側に突出する凸部２２６ｂを曲げ部Ｂが形成される長手方向部位２ｂに有するものであってもよい。好ましくは、かかる凹部２２５ｂ及び凸部２２６ｂのうちいずれか一方が他方より大きく形成され、しかも、大きく形成される方を有するシート体が小さく形成される方を有するシート体よりもシート状食品４に近い側に配置される。図５（Ｂ）に示す米飯加工食品用包装体２では、左側のシート体２２６の凸部２２６ｂが右側のシート体２２５の凹部２２５ｂよりも大きく形成され、左側のシート体２２６が右側のシート体２２５よりもシート状食品４に近い側に配置される。
【００７９】
また、上記実施形態においては、米飯加工食品用包装袋１は、右側下方に引っ張り力を加えることで上部から下部に開封するものであったが、下部に開封開始手段が設けられ、右側上方に引っ張り力を加えることで下部から上部に開封する米飯加工食品用包装袋であってもよい。
【００８０】
このような米飯加工食品用包装袋であっても、開封の際に曲げ部に不測の力が作用してシート状食品が破れてしまうおそれがある。特に、開封の際に右側の外シート及び内シートを真っ直ぐ右側に引っ張ることができない場合には、シート状食品が破れてしまう可能性が高まる。例えば上端部がヒートシールされている場合などには、外シートを完全に分割することができず、上端部が繋がったままの状態となり、右側の外シート及び内シートを真っ直ぐ右側に引っ張ることができない状況が考えられる。このため、かかる米飯加工食品用包装体若しくは米飯加工食品用包装袋に対しても、本発明の構成は有効である。
【００８１】
また、ハーフカットは、米飯加工食品用包装袋の搬送中や消費者が手に取った際に加えられる衝撃によって破断してしまうことを懸念して比較的浅めに形成される場合があるが、浅めに形成されると内シートが分離しにくいものとなってしまう場合もある。その点、下方から開封する米飯加工食品用包装袋では、切れ目をきっかけとしてハーフカットを容易に破断させる構成を採用することもできる。
【００８２】
さらに、本発明の構成は、外シート１０の分割手段としてハーフカット１１が形成された米飯加工食品用包装体２若しくは米飯加工食品用包装袋１に限らず、カットテープが設けられたもの等であっても同様に有効である。即ち、カットテープが設けられたものであっても、カットテープに対応する位置にヒートシールが形成されたりテープが貼着されることなどによって、外シートを完全に分割することができない場合がある。
【００８３】
また、上記実施形態においては、曲げ部Ｂが形成される長手方向部位は長手方向中央部位２ｂであるとして説明したが、曲げ部は、米飯加工食品用包装体が折り曲げられる部分（若しくは、米飯加工食品が配置される位置）に応じて変動するものであり、従って、曲げ部が形成される長手方向部位は長手方向中央部位に限定されるものではない。
【００８４】
また、上記実施形態においては、被覆部３０が被覆部材３１を用いて構成されるものであったが、この他にも、例えば、内シートの長手方向中央部を幅方向他端側に突出させて形成し、これを折り返したものであってもよい。同様に、上記実施形態においては、離間部４０が離間部材４１によって構成されるものであったが、この他にも、例えば、外シート及び／又は内シートを幅広に形成し、その幅方向端部を折り返して構成されるものであってもよい。
【００８５】
そして、上記離間部４０は、米飯加工食品用包装体２の幅方向両端部に設けられるものであったが、シート状食品４の幅方向一端縁部４ａに対応する部位（即ち、米飯加工食品用包装体２の幅方向一端部）のみに設けられるものであってもよい。また、上記離間部材４１は、米飯加工食品用包装体２の幅方向両端部にそれぞれ二つずつ設けられるものであったが、離間部材４１の個数は適宜変更可能であり、例えば一つのみ設けられるものであってもよい。
【００８６】
また、上記実施形態においては、被覆部３０が内シート２０の幅方向他端部から切れ目２１よりも幅方向一端部側にまで至る程度の長さを有するものとして説明したが、図７に示すように、米飯加工食品用包装体３０２は、被覆部３３０がより長く形成され、折り返し端部３３１が切れ目３２１よりも幅方向一端部側に位置するように被覆部３３０を幅方向他端部側に折り返して構成され、しかも、米飯加工食品３が被覆部３３０の幅方向他端部側に折り返された部分の上に載置されるものであってもよい。このようにすれば、左側の外シート３１０及び内シート３２０を摘み左側に引っ張って取り除く際に、同時に引き抜かれる被覆部３３０によって米飯加工食品３が割れること等を防止できる。即ち、外シート３１０及び内シート３２０を左側に引っ張ると、被覆部３３０が米飯加工食品３の底部３ａから剥離する態様で取り除かれるため、米飯加工食品３に引っ張り力が作用しにくくすることができる。
【図面の簡単な説明】
【００８７】
【図１】本発明の一実施形態に係る米飯加工食品用包装体を用いて完成された米飯加工食品用包装袋の斜視図を示す。
【図２】同実施形態に係る米飯加工食品用包装体の分解斜視図を示す。
【図３】同実施形態に係る米飯加工食品用包装体を内シート側から見た平面図を示す。
【図４】同実施形態に係る米飯加工食品用包装体のＸ−Ｘ線断面図を示す。
【図５】同実施形態に係る米飯加工食品用包装体を用いて完成された米飯加工食品用包装袋を開封する手順を示す斜視図であって、（Ａ）は開封前の状態、（Ｂ）は右側の外シート及び内シートを取り除いた状態を示す。
【図６】（Ａ）は本発明のその他の実施形態に係る米飯加工食品用包装体を内シート側から見た平面図を示し、（Ｂ）は本発明のさらにその他の実施形態に係る米飯加工食品用包装体を内シート側から見た平面図を示す。
【図７】本発明のさらにその他の実施形態に係る米飯加工食品用包装体を示す断面図であって、（Ａ）は開封前の状態、（Ｂ）は右側の外シート及び内シートを取り除いた状態、（Ｃ）は左側の外シート及び内シートを取り除いている状態を示す。
【符号の説明】
【００８８】
１…米飯加工食品用包装袋、１ａ…右側上端部、１ｂ…左側上端部、２…米飯加工食品用包装体、２ａ…長手方向端部、２ｂ…長手方向中央部位、２ｃ…長手方向両側部位、２ｄ…幅方向一端部、２ｅ…幅方向一端側部位、２ｆ…幅方向中央部、３…米飯加工食品、３ａ…底部、４…シート状食品、４ａ…幅方向端縁部、４ｂ…幅方向端縁部、１０…外シート、１０ａ，１０ｂ…幅方向両端部、１１…ハーフカット、１１ａ…ハーフカットの端部、１２…切欠、２０…内シート、２０ａ，２０ｂ…幅方向両端部、２１…切れ目、２１ａ…縦部、２１ｂ…横部、２２…ハーフカット、２２ａ…ハーフカットの端部、２３…舌状部位、２４…切欠、２５…横方向一方側の部分、２６…幅方向他方側の部分、３０…被覆部、３１…被覆部材、３１ａ…横方向一端部、３１ｂ…横方向他端部、３１ｃ…弱熱融着部、４０…離間部、４１…離間部材、４１ａ，４１ｂ…幅方向端縁、１０２…米飯加工食品用包装体、１２０…内シート、１２２…ハーフカット、２０２…米飯加工食品用包装体、２２０…内シート、２２５…シート体、２２５ａ…端縁部、２２５ｂ…凹部、２２６…シート体、２２６ａ…端縁部、２２６ｂ…凸部、３１０…外シート、３２０…内シート、３２１…切れ目、３３０…被覆部、３３１…折り返し端部、Ｂ…曲げ部、Ｌ…境界、Ｌａ…境界の長手方向中央部位における部分、Ｌｂ…境界の長手方向両側部位における部分、Ｌ’…境界、Ｌ’ｂ…境界の長手方向両側部位における部分、Ｌ”…境界、Ｓ…隙間
【図１】
0005110509.tif 000002
【図２】
0005110509.tif 000003
【図３】
0005110509.tif 000004
【図４】
0005110509.tif 000005
【図５】
0005110509.tif 000006
【図６】
0005110509.tif 000007
【図７】
0005110509.tif 000008